(57)【要約】【課題】対策が必要な発熱体が筐体内に複数存在するときも、より効率よく対処可能な電子機器を提供すること。【解決手段】電子機器は、筐体と、筐体内に存在し、自機の動作に基づいて発熱する第一の発熱体と、筐体内に存在し、自機の動作に基づいて発熱する第二の発熱体と、筐体の外気を取り込み筐体内へと導入する送風部と、送風部から導入されてくる外気を、第一の発熱体および前記第二の発熱体に接触するよう誘導する誘導部と、を備え、第一の発熱体と、第二の発熱体とは、誘導部を挟んで対向する位置に配置されている。【選択図】図４
2015026876.tif 000002
【特許請求の範囲】
【請求項１】
筐体と、
前記筐体内に存在し、自機の動作に基づいて発熱する第一の発熱体と、
前記筐体内に存在し、自機の動作に基づいて発熱する第二の発熱体と、
筐体の外気を取り込み筐体内へと導入する送風部と、
前記送風部から導入されてくる外気を、前記第一の発熱体および前記第二の発熱体に接触するよう誘導する誘導部と、を備え、
前記第一の発熱体と、前記第二の発熱体とは、前記誘導部を挟んで対向する位置に配置されている、
電子機器。
【請求項２】
前記誘導部は、前記第一の発熱体に誘導する外気の送風量と、前記第二の発熱体に誘導する外気の送風量とが、略同量となるように形成された風向板を有する、
請求項１に記載の電子機器。
【請求項３】
前記第一の発熱体は、３Ｄ合成画像用の第一視点の画像を撮像する第一のイメージセンサであって、
前記第二の発熱体は、３Ｄ合成画像用の第二視点の画像を撮像する第二のイメージセンサである、
請求項１または２に記載の電子機器。
【発明の詳細な説明】
【技術分野】
【０００１】
本発明は発熱体に対して送風する電子機器に関する。
【背景技術】
【０００２】
筐体内に存在する発熱体を冷却するために、送風機による送風を行なう電子機器が知られている。例えば、特許文献１は、送風ファンにより筐体内部に強い対流を生じさせ、イメージセンサで発生した熱の拡散を高速化させるデジタルカメラを開示している。
【先行技術文献】
【特許文献】
【０００３】
【特許文献１】特開２０１１−８７０２１号公報
【発明の概要】
【発明が解決しようとする課題】
【０００４】
発熱体を冷却するための筐体内への送風は、効率よく行なわれることが望まれる。特に、対策が必要な発熱体が筐体内に複数個存在するときは、この課題に対する対策がより強く望まれる。
【０００５】
本発明は上記課題を鑑みてなされたものであり、対策が必要な発熱体が筐体内に複数存在するときも、より効率よく対処可能な電子機器を提供することを目的とする。
【課題を解決するための手段】
【０００６】
上記課題を解決するために、本発明にかかる電子機器は、筐体と、筐体内に存在し、自機の動作に基づいて発熱する第一の発熱体と、筐体内に存在し、自機の動作に基づいて発熱する第二の発熱体と、筐体の外気を取り込み筐体内へと導入する送風部と、送風部から導入されてくる外気を、第一の発熱体および前記第二の発熱体に接触するよう誘導する誘導部と、を備え、第一の発熱体と、第二の発熱体とは、誘導部を挟んで対向する位置に配置されている。
【発明の効果】
【０００７】
本発明によれば、対策が必要な発熱体が筐体内に複数存在するときも、より効率よく対処可能な電子機器を提供することができる。
【図面の簡単な説明】
【０００８】
【図１】ムービーカメラ１００の全体斜視図
【図２】ムービーカメラ１００を下側から見た全体斜視図
【図３】レンズユニット１９０を露出させたムービーカメラ１００を下側から見た全体斜視図
【図４】ファン３９０によるムービーカメラ１００筐体内への送風を説明するための図
【図５】ファン３９０によるムービーカメラ１００筐体内のイメージセンサへの送風を説明するための図
【図６】ファン３９０によるムービーカメラ１００筐体内への送風経路を説明するための図
【図７】ファン３９０によるムービーカメラ１００筐体内のイメージセンサへの送風の他の実施形態を説明するための図
【発明を実施するための形態】
【０００９】
〔実施の形態１〕
〔１．ムービーカメラの全体構成〕
図１を用いて、実施の形態１にかかるムービーカメラ１００の全体構成の概略を説明する。図１は、ムービーカメラ１００の全体図である。
【００１０】
実施の形態１に係るムービーカメラ１００は、レンズ部１１０と、カメラボディ部１２０と、ハンドル部１３０と、マニュアルリング部１４０から構成されている。レンズ部１１０は、複数枚のレンズで構成されるレンズユニット１９０を備えている。マニュアルリング部１４０は、マニュアルズームリング、マニュアルフォーカスリング、マニュアルアイリスリングを備えている。カメラボディ部１２０は、レンズ部１１０の光学系を介して得られる被写体像を撮像するイメージセンサと、撮像センサの出力を画像処理する画像処理エンジンと、カメラボディの各部を制御するコントローラと、画像処理エンジンが出力する画像ファイルを記録可能なメモリカードを装着するカードスロットと、ムービーカメラ１００の各種機能を操作する操作部と、ムービーカメラ１００の各部に電源供給するバッテリなどを有する。ハンドル部１３０は、カメラボディ部１２０上部に有し、使用者が撮影のときに把持する部分である。
【００１１】
続いて、ムービーカメラ１００の下面の構成を説明する。
【００１２】
図２は、ムービーカメラ１００を下側から見た全体斜視図である。図２に示すように、レンズ部１１０の下面には、ファンカバー３７０と、吸気口３８０とが備えられている。図２からは見えない位置であるが、マニュアルリング部１４０の内側にファン３９０が備えられている。
【００１３】
ファンカバー３７０は、重量のあるレンズ部１１０を支えるための支持台が形成されている。これにより、ムービーカメラ１００を水平に設定したときに、レンズ部１１０の重量により前傾させずに置くことができる。
【００１４】
ファン３９０は、複数の羽を有する小型の送風機である。ファン３９０は、電力が供給されると、複数の羽を回転させて、ムービーカメラ１００の筐体内に外気を送風する。ファン３９０が、ムービーカメラ１００の筐体内に外気を送風することで、筐体内で発熱体となりうるイメージセンサや、画像処理エンジンなどを冷却させることができる。
【００１５】
吸気口３８０は、ファン３９０がムービーカメラ１００の筐体内に送風する際に、外気を筐体内へと導入するための口である。吸気口３８０は、ムービーカメラ１００の使用時において、外側からは見えにくい下面に配置されているので、外装の見栄えを損なわない。また、雨天での使用においても、下面に配置されているため、ムービーカメラ１００の筐体内に雨水が浸入するのを回避することができる。
【００１６】
図３は、レンズユニット１９０を露出させたムービーカメラ１００を下側から見た全体斜視図である。レンズユニット１９０は、レンズＲ２２０と、レンズＬ２３０とから構成されている。レンズＲ２２０は、右眼用の被写体像を結像するための光学系を含んでおり、フォーカスレンズや、ズームレンズなどから構成されている。同じく、レンズＬ２３０は、左眼用の被写体像を結像するための光学系を含んでおり、フォーカスレンズや、ズームレンズなどから構成されている。図３からは隠れて見えない箇所に位置するが、レンズＲ２２０の対向する位置には、イメージセンサ１Ｒ４５０、イメージセンサ２Ｒ４６０、イメージセンサ３Ｒ４７０の３つのイメージセンサが配置されている。これら３のイメージセンサは、それぞれＲＧＢのいずれかを担当するイメージセンサである。同様に、レンズＬ２３０の対向する位置には、イメージセンサ１Ｌ４２０、イメージセンサ２Ｌ４３０、イメージセンサ３Ｌ４４０の３つのイメージセンサが配置されている。これら３のイメージセンサは、それぞれＲＧＢのいずれかを担当するイメージセンサである。すなわち、ムービーカメラ１００は、左右合計６つのイメージセンサにより撮影を行う。ムービーカメラ１００の撮影時には、これら６つのイメージセンサを稼動させるため、相当量の熱が発熱する。従って、筐体内の温度が上昇から電子部品を守るために、ファン３９０による外気送風冷却を行なう必要がある。
【００１７】
図３に示すように、ファン３９０は、マニュアルリング部１４０の内側に位置している。これは、上記６つのイメージセンサが配置された場所に、最短距離で送風可能な位置であるためである。また、レンズユニット１９０を、極力カメラボディ１２０側へ押し込んだ構成とすることで、ムービーカメラ１００全体の小型化を図れるためである。
【００１８】
続いて、図４を用いて、ファン３９０によるムービーカメラ１００筐体内への外気送風を説明する。図４は、ファン３９０によるムービーカメラ１００筐体内への外気送風を説明するための図である。
【００１９】
ファン３９０は、カメラボディ１２０内のプリント基板上に配置されているコントローラからの指示に従い、電力供給を受けて、回転動作を行う。コントローラは、使用時は常にファン３９０に対して回転動作を指示してもよいし、所定温度以上の発熱を検知したときにファン３９０に対して回転動作を指示してもよい。
【００２０】
ファン３９０は、コントローラから回転動作の指示を受けると、回転動作を開始する。このとき、ファン３９０は、吸気口３８０から外気を取り込み、ムービーカメラ１００の筐体内へと外気を送風する。このとき、図４（Ａ）に示す矢印の経路により、ファン３９０は、ムービーカメラ１００の筐体内へと外気を送風する。図４（Ｂ）は、ファン３９０から送風されてくる外気が、左右のイメージセンサへと振り分けられる経路を示している。左右の双方に位置するイメージセンサの間には、ダクト孔４１０が設けられている。ダクト孔４１０は、風向板Ｔ４８０、風向板Ｌ４９０、風向板Ｒ５００から構成されている。風向板Ｔ４８０は、ダクト孔４１０の上面に位置し、略Ｔ字の形状を有している。風向板Ｌ４９０は、ダクト孔４１０の縦中央付近のイメージセンサ１Ｌ４２０、２Ｌ４３０、３Ｌ４４０側に位置し、逆Ｌ字の形状を有している。同じく、風向板Ｒ５００は、ダクト孔４１０の縦中央付近のイメージセンサ１Ｒ４５０、２Ｒ４６０、３Ｒ４７０側に位置し、風向板Ｌ４９０とは線対称の逆Ｌ字の形状を有している。
【００２１】
図４（Ｂ）に示すように、ファン３９０から導入されてくる外気の一部は、まず風向板Ｌ４９０および、風向板Ｒ５００に衝突する。風向板Ｌ４９０に衝突した外気の一部は、風向板Ｌ４９０の逆Ｌ字形状に沿って、イメージセンサ１Ｌ４２０、２Ｌ４３０、３Ｌ４４０の方向へと送られる。これにより、イメージセンサ１Ｌ４２０、２Ｌ４３０、３Ｌ４４０を送風冷却することができる。同様に、風向板Ｒ５０００に衝突した外気の一部は、風向板Ｒ５００の逆Ｌ字形状に沿って、イメージセンサ１Ｒ４５０、２Ｒ４６０、３Ｒ４７０の方向へと送られる。これにより、イメージセンサ１Ｒ４５０、２Ｒ４６０、３Ｒ４７０を送風冷却することができる。
【００２２】
更に、風向板Ｌ４９０および、風向板Ｒ５００で衝突しなかった残りの外気は、風向板Ｔ４８０に衝突する。風向板Ｔ４８０に衝突した外気は、風向板Ｔ４８０の略Ｔ字の形状に沿って、左右に送られる。すなわち、イメージセンサ１Ｌ４２０、２Ｌ４３０、３Ｌ４４０の方向と、イメージセンサ１Ｒ４５０、２Ｒ４６０、３Ｒ４７０の方向へと送られる。これにより、イメージセンサ１Ｌ４２０、２Ｌ４３０、３Ｌ４４０と、イメージセンサ１Ｒ４５０、２Ｒ４６０、３Ｒ４７０とを送風冷却することができる。
【００２３】
図５は、ファン３９０によるムービーカメラ１００筐体内のイメージセンサへの送風を説明するための図である。
【００２４】
ムービーカメラ１００は、上述のとおり、左右合計６つのイメージセンサを有している。図５に示すように、イメージセンサ１Ｌ４２０および、イメージセンサ１Ｒ４５０は、最上段に位置している。また、イメージセンサ２Ｌ４３０および、イメージセンサ２Ｒ４６０は、中央段に位置している。そして、イメージセンサ３Ｌ４４０および、イメージセンサ３Ｒ４７０は、最下段に位置している。ダクト孔４１０は、上記６つのイメージセンサのそれぞれに同程度の風量が効率よく供給できるように、風向板Ｔ４８０、風向板Ｌ４９０および、風向板Ｒ５００を形成している。すなわち、風向板Ｔ４８０は主に、イメージセンサ１Ｌ４２０および、イメージセンサ１Ｒ４５０、イメージセンサ２Ｌ４３０および、イメージセンサ２Ｒ４６０に対して送風を行なえるよう形成されている。風向板Ｌ４９０は、主に、イメージセンサ２Ｌ４３０と、イメージセンサ３Ｌ４４０に対して送風を行なえるように形成されている。同様に、風向板Ｒ５００は、主に、イメージセンサ２Ｒ４６０と、イメージセンサ３Ｒ４５０に対して送風を行なえるように形成されている。
【００２５】
最後に、ファン３９０により上記６つのイメージセンサに対して送風した後の、ムービーカメラ１００の筐体内における送風経路について説明する。
【００２６】
図６は、ファン３９０によるムービーカメラ１００筐体内への送風経路を説明するための図である。図６は、ムービーカメラ１００を上面から見た図である。
【００２７】
図６に示すように、レンズ部１１０は、レンズユニット１９０により容積が占有されているが、マニュアルリング部１４０や、カメラボディ部１２０は、一部電子基板などにより容積が占有されてはいるものの、空洞となっている部分を有する。そのため、ファン３９０により上記６つのイメージセンサに対して送風した後の外気は、図６に示す矢印のように、マニュアルリング部１４０やカメラボディ部１２０の空洞部分を通過していく。そして、ムービーカメラ１００の後部に配置されているジャックカバー５２０や、操作釦の釦孔５３０などにより形成された孔から、筐体外へと排気される。これにより、ムービーカメラ１００の筐体内の熱気を外に逃がすことができる。従って、これによりムービーカメラ１００の筐体内温度が上がり過ぎるのを回避することができる。
【００２８】
図７は、ファン３９０によるムービーカメラ１００筐体内のイメージセンサへの送風の他の実施形態を説明するための図である。
【００２９】
上記実施形態においては、図７（Ａ）に示すように、左右のイメージセンサに送風する外気風量が同程度になるように、風向板Ｔ４８０、風向板Ｌ４９０、風向板Ｒ５００の形状を左右対称となるように形成したが、これに限定されない。すなわち、図７（Ｂ）に示すように、左右に送風する外気風量が異なるように、風向板Ｔ４８０、風向板Ｌ４９０、風向板Ｒ５００の形状を左右非対称になるように形成してもよい。
【００３０】
イメージセンサ自体の発熱量が、左右で同程度であったとしても、カメラボディ部１２０などに左右のいずれか一方に偏った場所に配置された発熱体が存在する場合がある。例えば、図６に示すように、ムービーカメラ１００の筐体内右側に高発熱体である画像処理エンジン５１０が配置されており、一方左側には対処すべき顕著な発熱体が存在しない場合がある。このとき、ムービーカメラ１００の筐体内右側は、イメージセンサのみならず、画像処理エンジン５１０も送風冷却する必要がある。このような場合に、左右に送風する外気風量が異なるように、風向板Ｔ４８０、風向板Ｌ４９０、風向板Ｒ５００の形状を左右非対称になるように形成すると有効である。
【産業上の利用可能性】
【００３１】
本発明はムービーカメラ１００への実施に限定されない。左右双方に位置する発熱体を送風冷却すべき電子機器に本発明は適用可能である。
【符号の説明】
【００３２】
１００    ムービーカメラ
１１０    レンズ部
１２０    カメラボディ部
１３０    ハンドル部
１４０    マニュアルリング部
３７０    ファンカバー
３８０    吸気口
３９０    ファン
４１０    ダクト孔
４８０    風向板Ｔ
４９０    風向板Ｌ
５００    風向板Ｒ
【図１】
2015026876.tif 000003
【図２】
2015026876.tif 000004
【図３】
2015026876.tif 000005
【図７】
2015026876.tif 000006
【図４】
2015026876.tif 000007
【図５】
2015026876.tif 000008
【図６】
2015026876.tif 000009